【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
複数のＬＣＤ画素を有する液晶ディスプレイ（ＬＣＤ）パネルにおいて、選択されたＬＣＤ画素の初期画素値を、オーバードライブ画素値に関連付けられた目標画素値に到達させるために必要である期間に対応するＬＣＤ画素応答時間を提供するための方法であって、
各ＬＤＣ画素の応答を、二次微分方程式（ｍｘ‥＋ｋν＋ｘ＝ｐ）で表される二次動的システムとしてモデル化する動作であって、ｘ、ν、およびｐは、ＬＣＤ画素値、関連のＬＣＤ画素値の時間変化、および課せられるＬＣＤ画素電圧をそれぞれ表し、ｍおよびｋは、ＬＣＤ画素質量および関連の画素減衰率をそれぞれ表す、動作と、
前記選択ＬＤＣ画素が初期のＬＣＤ画素値ｘ0および関連の画素速度値ν0を有するとき、前記電圧ｐを課せられた影響下における前記選択ＬＣＤ画素のＬＣＤ画素応答データを前記二次微分方程式に基づいて計算する動作と、
一対の最良適合値（ｍ，ｋ）を決定する動作であって、前記一対の最良適合値（ｍ，ｋ）は、前記ＬＣＤパネルに関する測定されたＬＣＤ画素応答データに最も良く一致するＬＣＤ画素応答の計算値を与える値である、動作と、
前記一対の最良適合値（ｍ，ｋ）に基づいてα1およびα2を計算する動作とを備える動作であって、これらのα1およびα2は下記で与えられ、
【数１】
2005250470.tif 000001
前記α1およびα2は、前記二次微分方程式（ｍｘ‥＋ｋν＋ｘ＝ｐ）の解である動作と、
を備える方法。
【請求項２】
請求項１に記載の方法であって、更に、
一組のランタイム係数｛Ａ，Ｂ，Ｃ，Ｄ，Ｅ，Ｆ｝を、
【数２】
2005250470.tif 000002
として計算する動作を備え、
前記ランタイム係数｛Ａ，Ｂ，Ｃ，Ｄ，Ｅ，Ｆ｝は、現在画素値ｘnから次の画素値ｘn+1を計算するため、及び、現在画素速度νnから次の画素速度νn+1を計算するために使用される定数である、方法。
【請求項３】
請求項２に記載の方法であって、更に、
次のフレームｎ＋１に関する次の画素値ｘn+1および次の画素速度νn+1を計算する動作であって、これらのｘn+1およびνn+1は、
【数３】
2005250470.tif 000003
である、動作を備える方法。
【請求項４】
請求項３に記載の方法であって、
ｘ0およびν0が共に０に等しい初期の状態を想定する動作を備える方法。
【請求項５】
請求項４に記載の方法であって、
前記想定に基づいて理想の画素強度ｐideal＝（ｐn+1−Ａ×ｘn−Ｂ×νn）／Ｃを計算する動作を備える方法。
【請求項６】
請求項５に記載の方法であって、
前記理想の画素強度ｐideal＝（ｐn+1−Ａ×ｘn−Ｂ×νn）／Ｃを、０〜２５５の画素値に対応するＬＣＤ画素の飽和領域内に調整する動作と、
前記調整された理想の画素強度を丸めて前記増速駆動画素値を得る動作と
を備える方法。
【請求項７】
請求項６に記載の方法であって、更に、
前記増速駆動画素値を使用して現在画素値ｘnおよび現在画素速度νnを現行のフレームから次のフレームに更新する動作を備える方法。
【請求項８】
複数のＬＣＤ画素を有する液晶ディスプレイ（ＬＣＤ）パネルにおいて、選択されたＬＣＤ画素の初期画素値を、オーバードライブ画素値に関連付けられた目標画素値に到達させるために必要である期間に対応するＬＣＤ画素応答時間を提供する処理をプロセッサに実行させるプログラムを格納したコンピュータ読み取り可能な記録媒体であって、
各ＬＤＣ画素の応答を、二次微分方程式（ｍｘ‥＋ｋν＋ｘ＝ｐ）で表される二次動的システムとしてモデル化する動作であって、ｘ、ν、およびｐは、ＬＣＤ画素値、関連のＬＣＤ画素値の時間変化、および課せられるＬＣＤ画素電圧をそれぞれ表し、ｍおよびｋは、ＬＣＤ画素質量および関連の画素減衰率をそれぞれ表す、動作をコンピュータに行わせるコンピュータコードと、
前記選択ＬＤＣ画素が初期のＬＣＤ画素値ｘ0および関連の画素速度値ν0を有するとき、前記電圧ｐを課せられた影響下における前記選択ＬＣＤ画素のＬＣＤ画素応答データを前記二次微分方程式に基づいて計算する動作と、
一対の最良適合値（ｍ，ｋ）を決定する動作であって、前記一対の最良適合値（ｍ，ｋ）は、前記ＬＣＤパネルに関する測定されたＬＣＤ画素応答データに最も良く一致するＬＣＤ画素応答の計算値を与える値である、動作をコンピュータに行わせるコンピュータコードと、
前記一対の最良適合値（ｍ，ｋ）に基づいてα1およびα2を計算する動作とを備える動作であって、これらのα1およびα2は下記で与えられ、
【数４】
2005250470.tif 000004
前記α1およびα2は、前記二次微分方程式（ｍｘ‥＋ｋν＋ｘ＝ｐ）の解である動作をコンピュータに行わせるコンピュータコードと、
を含む記録媒体。
【請求項９】
請求項８に記載のコンピュータ読み取り可能な記録媒体であって、更に、
一組のランタイム係数｛Ａ，Ｂ，Ｃ，Ｄ，Ｅ，Ｆ｝を、
【数５】
2005250470.tif 000005
として計算する動作をコンピュータに行わせるコンピュータコードを備え、
前記ランタイム係数｛Ａ，Ｂ，Ｃ，Ｄ，Ｅ，Ｆ｝は、現在画素値ｘnから次の画素値ｘn+1を計算するため、及び、現在画素速度νnから次の画素速度νn+1を計算するために使用される定数である、コンピュータ読み取り可能な記録媒体。
【請求項１０】
請求項９に記載のコンピュータ読み取り可能な記録媒体であって、更に、
次のフレームｎ＋１に関する次の画素値ｘn+1および次の画素速度νn+1を計算する動作であって、これらのｘn+1およびνn+1は、
【数６】
2005250470.tif 000006
である、動作をコンピュータに行わせるコンピュータコードを備えるコンピュータ読み取り可能な記録媒体。
【請求項１１】
請求項１０に記載のコンピュータ読み取り可能な記録媒体であって、
ｘ0およびν0が共に０に等しい初期の状態を想定する動作をコンピュータに行わせるコンピュータコードを備えるコンピュータ読み取り可能な記録媒体。
【請求項１２】
請求項１１に記載のコンピュータ読み取り可能な記録媒体であって、
前記想定に基づいて理想の画素強度ｐideal＝（ｐn+1−Ａ×ｘn−Ｂ×νn）／Ｃを計算する動作をコンピュータに行わせるコンピュータコードを備えるコンピュータ読み取り可能な記録媒体。
【請求項１３】
請求項１２に記載のコンピュータ読み取り可能な記録媒体であって、
前記理想の画素強度ｐideal＝（ｐn+1−Ａ×ｘn−Ｂ×νn）／Ｃを、０〜２５５の画素値に対応するＬＣＤ画素の飽和領域内に調整する動作をコンピュータに行わせるコンピュータコードと、
前記調整された理想の画素強度を丸めて前記増速駆動画素値を得る動作をコンピュータに行わせるコンピュータコードと、
を備えるコンピュータ読み取り可能な記録媒体。
【請求項１４】
請求項１３に記載のコンピュータ読み取り可能な記録媒体であって、更に、
前記増速駆動画素値を使用して現在画素値ｘnおよび現在画素速度νnを現行のフレームから次のフレームに更新する動作をコンピュータに行わせるコンピュータコードを備えるコンピュータ読み取り可能な記録媒体。
【手続補正２】
【補正対象書類名】明細書
【補正対象項目名】００１２
【補正方法】変更
【補正の内容】
【００１２】
説明を簡単にするため、以下では、いわゆるオーバードライブテーブルとは、全て、最大努力曲線Ｍ（ｓ）およびｍ（ｓ）にそれぞれ囲まれた飽和領域ＳMおよびＳmを有する標準的なオーバードライブテーブルとして当該分野で知られるオーバードライブテーブルを意味するものとする。
【手続補正３】
【補正対象書類名】明細書
【補正対象項目名】００１５
【補正方法】変更
【補正の内容】
【００１５】
静的なテーブルに依存する替わりに動的なシステムを使用する解決方法は、オーバードライブ画素値を推定するための単純で且つ効果的なランタイム手順を提供する。この手順は、ＬＣＤ画素が二次の線形動的システムとして適切に記述される、または、ＬＣＤ画素が初期値−目標値空間の小領域内でそれぞれ動作するものとして近似される複数の二次線形動的システムによって適切に記述される、という仮定に基づく。動的システムによる解決方法は、二次システムにおける強さ（すなわち「位置」）および速度に関する知識を必要とする状態の概念を取り入れ、画素に力が課せられた作用のもとで状態ベクトルがどのように系統的に更新されるかを示す。下記の微分方程式（３）に示されるように、階数は２である。
【数３】
2005250470.tif 000007
【手続補正４】
【補正対象書類名】明細書
【補正対象項目名】００１６
【補正方法】変更
【補正の内容】
【００１６】
ここで、ｘはＬＣＤ画素強度（すなわち画素値）を、νはＬＣＤ画素速度（すなわち、画素値の時間変化）を、ｐは課せられる画素電圧（一実施例ではフレーム期間を通じて一定である）をそれぞれ表し、ｍおよびｋは質量および減衰率をそれぞれ表している。ここで、ｍはイナーシャ（すなわち画素値の変化に対して画素が示す抵抗を示しており、力学システムの質量のようなもの）を意味しており、ｋは、力学システムにおいて振動の振幅を低下させるものと同様な、ＬＣＤ画素の固有の性質を表している。なお、もしｐが固定値であるならば、ｘ‥およびνが共に０である定常状態のもとでｐ＝ｘである。
【手続補正５】
【補正対象書類名】明細書
【補正対象項目名】００４３
【補正方法】変更
【補正の内容】
【００４３】
パネル全体に最も良く適合する一対の値（ｍ，ｋ）は、初期値−目標値行列の一部の領域に対し、他の領域に対するよりも良く機能する可能性がある。最も良く適合するとは、ｍとｋの値が、ＬＣＤ画素の力学モデルにおいて使用されたときに、そのＬＣＤパネルに関して測定されたＬＣＤ画素応答データに最もよく一致するＬＣＤ画素応答を与えるようなものを意味している。このような場合は、一般に、初期値−目標値空間を小領域に分け、それぞれに対して別々の近似を講じると良い。自明の分け方の一つは、主対角線上（初期値＝目標値のところ）に沿った分け方である。片側は、初期値＜目標値であり、明るくする（明化）動作の領域に相当する。もう片側は、初期値＞目標値であり、暗くする（暗化）動作の領域に相当する。以下では、これらの小領域を、それぞれ領域Ｄ１およびＤ２と称することにしよう。
【手続補正６】
【補正対象書類名】明細書
【補正対象項目名】００５０
【補正方法】変更
【補正の内容】
【００５０】
簡潔な解決方法の一つは、遷移領域において０から１まで変化する遷移座標を使用する（画素座標における２７から３７までの変化に相当する）。標準の遷移座標は、例えば図１に示されたβ（ｘ）＝３ｘ2−２ｘ3などの標準のブレンディング関数の使用を可能にする。